(57)【要約】【課題】アームの先端が顧客の身体に突き当たった場合の安全性を確保し、且つ商品の補充がし易い陳列フックを提供することを目的とする。【解決手段】陳列フック１は、什器Ｆ等に装着される装着部材２と、装着部材２に設けられた筒体２４に挿通されて装着部材２から前方に突出し、商品Ｐが吊り下げられるアーム３とを備える。アーム３の後端部３３に可撓部３７が設けられ、アーム３が装着部材２に取り付けられた状態で、可撓部３７の突起３８と筒体２４の貫通穴２６とが係合し、アーム３を軸方向の後方へ押圧した際に、突起３８が押圧されて可撓部３７が内周側へ変位し、突起３８と貫通穴２６との係合が解除される。これによれば、アーム３の先端４０が顧客の身体に突き当たりアーム３に負荷がかかった場合には、突起３８と貫通穴２６との係合解除により、アーム３が後方へ変位することで、衝撃を緩和することができ、顧客が負傷する虞を低減できる。【選択図】図１
0003145470.tif 000002
【実用新案登録請求の範囲】
【請求項１】
什器等に装着される装着部材と、
前記装着部材に設けられた筒体に挿通されて前記装着部材から前方に突出し、商品が吊り下げられるアームとを備える陳列フックであって、
前記アームは、後端に筒状部を有し、
前記筒状部は、筒壁の周方向の一部が、外周側からの押圧によって筒状部の内周側へ変位可能な可撓部をなし、
前記可撓部の外周側面には突起が設けられ、前記筒体には貫通穴が設けられ、この貫通穴から前記突起が前記筒体の外周側に突出して、前記貫通穴と前記突起とが係合し、
前記突起には、前記アームを軸方向の後方へ押圧した際に、前記貫通穴の内縁に当接することで、前記可撓部が内周側へ変位し、前記突起と前記貫通穴との係合が解除されるように案内する球面状又は曲面状又はテーパ状の案内面が設けられていることを特徴とする陳列フック。
【請求項２】
請求項１に記載の陳列フックにおいて、
前記筒状部は、前記筒壁に軸方向に沿って後端側に開口するスリットを、周方向に離間して２つ有し、
前記２つのスリットの間の筒壁が前記可撓部をなすことを特徴とする陳列フック。
【請求項３】
請求項１または２に記載の陳列フックにおいて、
前記アームの先端には、内部に空気層を有する中空の弾性部材が付設されていることを特徴とする陳列フック。
【請求項４】
請求項１ないし３のいずれか１つに記載の陳列フックにおいて、
前記アームは、前記筒状部を含めて一体的に樹脂成型された一部材であることを特徴とする陳列フック。
【考案の詳細な説明】
【技術分野】
【０００１】
本考案は、商品を吊り下げて陳列する陳列フックに関する。
【背景技術】
【０００２】
従来の陳列フックとして、什器等に取り付けられる装着部材と、この装着部材に付設されたアームとを備え、アームに商品を吊り下げて陳列するものがある。
【０００３】
ところで、このような陳列フックは、アームの先端が顧客が通行する通路に突き出ており、顧客の身体に突き当たった場合に顧客が負傷するという虞がある。
また、陳列フックでは、アームの先端側にある商品から先に購入されるため、新しい商品はアームの後端側に補充するのが一般的である。このため、例えば、特許文献１には、アームと装着部材を別体として着脱可能にした技術が開示されている。しかし、特許文献１の陳列フックでは、アームを回動して装着部材との係合を解除するものであるため、アームの回動によりアーム先端の商品の抜け止めから商品が落下する虞がある。そこで、さらなる着脱操作のしやすさが求められている。
【特許文献１】特開２０００−７００８５号公報
【考案の開示】
【考案が解決しようとする課題】
【０００４】
本考案は、上記の問題点を解決するためになされたものであり、アームの先端が顧客の身体に突き当たった場合の安全性を確保し、且つ商品の補充がし易い陳列フックを提供することを目的とする。
【課題を解決するための手段】
【０００５】
〔請求項１の手段〕
請求項１に記載の陳列フックは、什器等に装着される装着部材と、装着部材に設けられた筒体に挿通されて装着部材から前方に突出し、商品が吊り下げられるアームとを備える。
そして、アームは後端に筒状部を有し、筒状部は、筒壁の周方向の一部が、外周側からの押圧によって筒状部の内周側へ変位可能な可撓部をなしている。
【０００６】
可撓部の外周側面には突起が設けられ、筒体には貫通穴が設けられ、この貫通穴から突起が筒体の外周側に突出して、貫通穴と突起とが係合する。
また、突起には、アームを軸方向の後方へ押圧した際に、貫通穴の内縁に当接することで、可撓部が内周側へ変位し、突起と貫通穴との係合が解除されるように案内する球面状又は曲面状又はテーパ状の案内面が設けられている。
【０００７】
これによれば、アームを軸方向の後方へ押圧した際、突起と貫通穴との係合が解除されるため、アームが後方へ変位する。このため、アームの先端が顧客の身体に突き当たりアームに負荷がかかった場合には、アームが後方へ変位することで、衝撃を緩和することができ、顧客が負傷する虞を低減できる。
【０００８】
また、筒体に設けられた貫通穴から突起が筒体の外周側に突出しているため、突起を押圧することで可撓部を変位させ、突起と貫通穴との係合を解除することができる。
これにより、突起を押してアームを引くという単純な作業により、装着部材からアームを取り外すことができ、商品の補充作業が極めて容易になる。また、可撓部が筒状に設けられているので、繰り返しの変位に対しての耐久性を確保することができる。
また、突起と貫通穴との係合は、アームの回転止めとしても作用する。
【０００９】
〔請求項２の手段〕
請求項２に記載の陳列フックでは、筒状部は、筒壁に軸方向に沿って後端側に開口するスリットを、周方向に離間して２つ有し、２つのスリットの間の筒壁が可撓部をなす。
これによれば、別部材を使うことなく筒状部の筒壁の一部を可撓部とすることができ、製造コストを削減できる。
【００１０】
〔請求項３の手段〕
請求項３に記載の陳列フックでは、アームの先端に、内部に空気層を有する中空の弾性部材が付設されている。
これによれば、アームの先端が顧客の身体に突き当たった場合に、アームの後方への変位に加え、弾性部材の存在により、さらに衝撃を緩和することができ、顧客が負傷する虞をさらに低減できる。
【００１１】
〔請求項４の手段〕
請求項４に記載の陳列フックでは、アームは、筒状部を含めて一体的に樹脂成型された一部材である。
これによれば、製造が容易であり、製造コストを削減できる。
【考案を実施するための最良の形態】
【００１２】
最良の形態１の陳列フックは、什器等に装着される装着部材と、装着部材に設けられた筒体に挿通されて装着部材から前方に突出し、商品が吊り下げられるアームとを備える。
そして、アームは後端に筒状部を有し、筒状部は、筒壁の周方向の一部が、外周側からの押圧によって筒状部の内周側へ変位可能な可撓部をなしている。
【００１３】
可撓部の外周側面には突起が設けられ、筒体には貫通穴が設けられ、この貫通穴から突起が筒体の外周側に突出して、貫通穴と突起とが係合する。
また、突起には、アームを軸方向の後方へ押圧した際に、貫通穴の内縁に当接することで、可撓部が内周側へ変位し、突起と貫通穴との係合が解除されるように案内する球面状又は曲面状又はテーパ状の案内面が設けられている。
【００１４】
また、筒状部は、筒壁に軸方向に沿って後端側に開口するスリットを、周方向に離間して２つ有し、２つのスリットの間の筒壁が可撓部をなす。
また、アームの先端には、内部に空気層を有する中空の弾性部材が付設されている。
そして、アームは、筒状部を含めて一体的に樹脂成型された一部材である。
【実施例１】
【００１５】
〔実施例１の構成〕
実施例１の陳列フック１の構成を、図１ないし図６を用いて説明する。
陳列フック１は、什器Ｆに装着される装着部材２と、商品Ｐが吊り下げ可能なアーム３とを備える。
【００１６】
装着部材２は、例えば合成樹脂を素材として形成されており、上面部２１と上面部２１の前後端から下方に延設された脚部２２、２３を有し、什器Ｆの左右に延びる横軸Ｂに、上方から引っ掛けられるようになっている。
また、上面部２１には筒体２４が設けられている。尚、本実施例では、上面部２１の上に円筒状の部材を固着して筒体２４を設けているが、上面部２１に前後に貫通する穴を空けて、上面部２１自体を筒体２４としてもよい。
【００１７】
アーム３は、例えば合成樹脂を素材として略棒状に樹脂成型されている。尚、アーム３は、装着部材２とは別体として形成されており、装着部材２の筒体２４に挿通されて装着部材２から前方に突出し、商品Ｐが吊り下げられるようになっている。
また、アーム３は、商品Ｐの抜け止めとして上方に屈曲した先端部３１と、商品Ｐが吊り下げられる中間部３２と、装着部材２に係合する後端部３３（筒状部）からなっている。そして、先端部３１及び中間部３２は中実の丸棒状を呈し、後端部３３は、先端部３１及び中間部３２よりもわずかに径大な円筒状を呈している。
【００１８】
後端部３３は、筒壁３４に軸方向に沿って後端側に開口するスリット３５、３６が設けられている。スリット３５、３６は互いに平行に設けられ、スリット３５とスリット３６とは周方向に離間しており、スリット３５とスリット３６との間の筒壁３４ａが、外周側からの押圧によって後端部３３の内周側へ変位する可撓部３７となっている。尚、本実施例では、可撓部３７は後端部３３の上部に位置するように設けられているが、下部でもよく、周方向のいずれの位置に設けられていてもよい。
【００１９】
可撓部３７の外周側面には突起３８が設けられ、筒体２４には突起３８に対応する貫通穴２６が設けられている。そして、アーム３が装着部材２に取り付けられた状態で、貫通穴２６から突起３８が筒体２４の外周側に突出して、貫通穴２６と突起３８とが係合するようになっている。
【００２０】
また、突起３８が半球状を呈しており、アーム３を軸方向の後方へ押圧した際に、貫通穴２６の内縁２７に当接することで、突起３８が押圧されて可撓部３７が内周側へ変位し、突起３８と貫通穴２６との係合が解除されるように、突起３８の球面３９（案内面）に案内される。
【００２１】
アーム３の先端４０に、内部に空気層４１を有する中空の弾性部材４２が付設されている。
弾性部材４２は、例えば、柔軟な樹脂やゴム材料を素材として、先端側に球面形状を有する袋状に形成されており、アーム３の先端部３１に形成された小径部４３に装着されている。
【００２２】
〔実施例１の効果〕
実施例１の陳列フック１は、アーム３の後端部３３に可撓部３７が設けられ、アーム３が装着部材２に取り付けられた状態で、可撓部３７の突起３８と筒体２４の貫通穴２６とが係合するようになっている。そして、アーム３を軸方向の後方へ押圧した際に、貫通穴２６の内縁２７に当接することで、突起３８が押圧されて可撓部３７が内周側へ変位し、突起３８と貫通穴２６との係合が解除されるように案内する案内面として球面３９が突起３８に設けられている。
【００２３】
これによれば、アーム３を軸方向の後方へ押圧した際、突起３８と貫通穴２６との係合が解除されるため、アーム３が後方へ変位する。このため、アーム３の先端４０が顧客の身体に突き当たりアーム３に負荷がかかった場合には、アーム３が後方へ変位することで、衝撃を緩和することができ、顧客が負傷する虞を低減できる。
【００２４】
また、貫通穴２６から突起３８が筒体２４の外周側に突出しているため、突起３８を押圧することで可撓部３７を変位させ、突起３８と貫通穴２６との係合を解除することができる。
これにより、突起３８を押してアーム３を引くという単純な作業により、装着部材２からアーム３を取り外すことができ、商品Ｐの補充作業が極めて容易になる。また、商品Ｐの補充後に、アーム３を装着部材２に取り付ける際にも、球面３９が案内面となって、容易に取り付け作業を行うことができる。
尚、本実施例では、突起３８が半球状を呈しているために、アーム３を軸方向の前方に引くことでも、突起３８と貫通穴２６との係合が解除されるように案内され、突起３８を押すことなく、アーム３を引くだけでも、装着部材２からアーム３を取り外すことができる。
また、突起３８と貫通穴２６との係合は、アーム３の回転止めとしても作用するので、アーム３の回転により先端部３１の抜け止めとしての機能が損なわれることはない。
【００２５】
また、本実施例の陳列フック１では、後端部３３にスリット３５、３６を設けることで、スリット３５とスリット３６との間の筒壁３４ａを、外周側からの押圧によって後端部３３の内周側へ変位する可撓部３７としている。
これによれば、別部材（例えば、バネ等の弾性部材）を使うことなく後端部３３の筒壁３４の一部を可撓部３７とすることができ、製造コストを削減できる。
また、アーム３を、後端部３３を含めて一体的に樹脂成型された一部材として形成することにより、製造を容易にし、製造コストを削減できる。
【００２６】
また、本実施例の陳列フック１では、アーム３の先端４０に、内部に空気層４１を有する中空の弾性部材４２が付設されている。
これによれば、アーム３の先端４０が顧客の身体に突き当たった場合に、アーム３の後方への変位に加え、弾性部材４２の存在により、さらに衝撃を緩和することができ、顧客が負傷する虞をさらに低減できる。
【００２７】
〔変形例〕
実施例１では、突起３８を半球状としたが、突起３８の後端側のみに球面３９（図６（ａ）参照）又は曲面４５（図６（ｂ）参照）又はテーパ面４６（図６（ｃ）参照）を設けて、アーム３を軸方向の後方に押すことで突起３８と貫通穴２６との係合が解除されるように案内されるようにしてもよい。
また、突起３８の先端側及び後端側の両方に曲面４５（図６（ｄ）参照）又はテーパ面４６（図６（ｅ）参照）を設けて、アーム３を軸方向の後方に押す際、及びアーム３を軸方向の前方に引く際の両方の場合に、突起３８と貫通穴２６との係合が解除されるように案内されるようにしてもよい。
【００２８】
また、実施例１では、アーム３は棒状を呈していたが、平板状であってもよい。
また、実施例１では、先端部３１及び中間部３２は中実の丸棒状を呈し、後端部３３は、先端部３１及び中間部３２よりもわずかに径大な円筒状を呈していたが、先端部３１、中間部３２、後端部３３の径は同じであってもよく、先端部３１、中間部３２を筒状にしてもよい。
【００２９】
さらに、実施例１では、陳列フック１は什器Ｆの横軸Ｂに装着されているが、壁に設けられた係合部に装着してもよい。すなわち、装着部材２と什器Ｆ等の係合構造は実施例１の態様（上方から引っ掛ける構造）に限定されず、凹凸嵌合や、螺子止め等でもよい。
【図面の簡単な説明】
【００３０】
【図１】陳列フックの構成図である（実施例１）。
【図２】アームの側面図である（実施例１）。
【図３】アームの後端部の斜視図である（実施例１）。
【図４】（ａ）はアームの後端部の上面図、（ｂ）は（ａ）のＡ−Ａ断面図、（ｃ）はアームの後端部を軸方向の後端側から視た図である（実施例１）。
【図５】（ａ）は装着部材の上面図、（ｂ）は装着部材を軸方向の後端側から視た図、（ｃ）は装着部材の側面図である（実施例１）。
【図６】（ａ）〜（ｅ）はアームの後端部の斜視図である（変形例）。
【符号の説明】
【００３１】
１  陳列フック
２  装着部材
２４  筒体
２６  貫通穴
２７  貫通穴の内縁
３  アーム
３３  後端部（筒状部）
３４、３４ａ  筒壁
３５、３６  スリット
３７  可撓部
３８  突起
３９  球面（案内面）
４０  アームの先端
４１  空気層
４２  弾性部材
４５  曲面（案内面）
４６  テーパ面（案内面）
Ｆ  什器
Ｐ  商品
Ｂ  什器の横軸
【図１】
0003145470.tif 000003
【図２】
0003145470.tif 000004
【図３】
0003145470.tif 000005
【図４】
0003145470.tif 000006
【図５】
0003145470.tif 000007
【図６】
0003145470.tif 000008